(57)【要約】【課題】連結部材による影の出現を抑制する。【解決手段】写真スタジオ装置１は、円筒状の曲面を持った内壁部材５と、内壁部材５の背面側に配置された複数の蛍光灯６と、さらに外側に配置された円筒状の曲面を持った外壁部材７と、を備えて構成されている。内壁部材５は、乳白色で光透過性を有する一枚の連続した板材で形成され、鉛直方向に自立する。【選択図】図２
2006323168.tif 000002
【特許請求の範囲】
【請求項１】
光透過性の内壁部材により撮影空間が形成され、前記内壁部材に照明用光源が配置された写真スタジオ装置において、
前記内壁部材の少なくとも一部は鉛直方向に自立する曲面状に形成されていることを特徴とする写真スタジオ装置。
【請求項２】
請求項１に記載の写真スタジオ装置において、
前記内壁部材は、一枚の連続した板材で形成されていることを特徴とする写真スタジオ装置。
【請求項３】
請求項１に記載の写真スタジオ装置において、
前記内壁部材は、複数の板材を連結して形成されていることを特徴とする写真スタジオ装置。
【請求項４】
請求項３に記載の写真スタジオ装置において、
前記複数の板材は、柱状連結部材を介して連結され、前記柱状連結部材の前記撮影空間側に位置する面が光透過性材料からなる覆い板により覆われていることを特徴とする写真スタジオ装置。
【請求項５】
請求項１に記載の写真スタジオ装置において、
前記内壁部材は、複数の管体からなり、前記複数の管体は軸方向において互いに平行で且つ径方向において連結して配置され、前記連結された複数の管体の少なくとも一部は曲面状に配置されていることを特徴とする写真スタジオ装置。
【請求項６】
請求項５に記載の写真スタジオ装置において、
前記照明用光源が前記管体内に収納されていることを特徴とする写真スタジオ装置。
【請求項７】
請求項５又は６に記載の写真スタジオ装置において、
前記管体内の隣接する管体側の位置に、補助光源が収納されていることを特徴とする写真スタジオ装置。
【請求項８】
連結部材を介して張設された光透過性の板状の内壁部材により撮影空間が形成され、前記内壁部材の背面側に照明用光源が配置された写真スタジオ装置において、
前記連結部材は前記内壁部材の面方向において中心部よりいずれか一端側に偏った位置に配置されていることを特徴とする写真スタジオ装置。
【請求項９】
請求項８に記載の写真スタジオ装置において、
前記連結部材は、前記内壁部材の上端側に位置して水平方向に配置されていることを特徴とする写真スタジオ装置。
【請求項１０】
右側壁、左側壁及び後部壁がコの字状に組み立てられ、前面に入り口が設けられた写真スタジオ装置において、
前記右側壁及び左側壁の内面は、連結部材を介して張設された光透過性の板状の内壁部材からなり、
前記内壁部材の背面側には照明用光源が配置され、
前記連結部材は、前記右側壁及び左側壁の入り口側に位置して鉛直方向に配置されていることを特徴とする写真スタジオ装置。
【発明の詳細な説明】
【技術分野】
【０００１】
本発明は、写真を撮影する際に使用する写真スタジオ装置に関する。
【背景技術】
【０００２】
一般に、写真スタジオ等で写真撮影を行う際には、被写体を明るく撮影するために、ストロボ等の光源が使用されている。ストロボ撮影の場合、実際に被写体に照射された光の照度に基づいてカメラの絞りやシャッター速度を調整することができないため、ストロボの発光量を予想して調整を行っているが、試し撮りを行わずにカメラの絞りやシャッター速度を調整することは困難である。
【０００３】
そこで、定常光を使用して撮影を行うために、壁及び天井に、自然光に近い色温度の光を放射するランプが配設された写真撮影用照明装置が提案されている（例えば、特許文献１参照。）。この照明装置の壁及び天井は、複数の発光壁ユニットが平面状に並設されて形成されており、各ユニットは相互に連結固定具により連結固定されている。発光壁ユニットは、矩形の基板に蛍光ランプが取り付けられ、その前面は乳白色の透光板で包囲され、薄い板状の箱型に形成されている。蛍光ランプの光は、乳白色透光板を透過して放射されるため、蛍光ランプの形状が現れることはなく、発光壁ユニットの正面全体を面光源として発光させることができる。
【特許文献１】特開２００５−３１５１１号公報
【発明の開示】
【発明が解決しようとする課題】
【０００４】
しかし、上記写真撮影用照明装置では、撮影を行う際に各発光壁ユニットを連結する連結部材が影となり、写真に写ってしまう場合があった。また、連結部材をなくすために壁を１枚板にすると、乳白色透光板が撓んでしまうという問題があった。
【０００５】
本発明は、上記の従来技術における問題に鑑みてなされたものであって、連結部材による影の出現を抑制することを課題とする。
【課題を解決するための手段】
【０００６】
上記課題を解決するために、請求項１に記載の発明は、光透過性の内壁部材により撮影空間が形成され、前記内壁部材に照明用光源が配置された写真スタジオ装置において、前記内壁部材の少なくとも一部は鉛直方向に自立する曲面状に形成されていることを特徴とする。
【０００７】
請求項２に記載の発明は、請求項１に記載の写真スタジオ装置において、前記内壁部材は、一枚の連続した板材で形成されていることを特徴とする。
【０００８】
請求項３に記載の発明は、請求項１に記載の写真スタジオ装置において、前記内壁部材は、複数の板材を連結して形成されていることを特徴とする。
【０００９】
請求項４に記載の発明は、請求項３に記載の写真スタジオ装置において、前記複数の板材は、柱状連結部材を介して連結され、前記柱状連結部材の前記撮影空間側に位置する面が光透過性材料からなる覆い板により覆われていることを特徴とする。
【００１０】
請求項５に記載の発明は、請求項１に記載の写真スタジオ装置において、前記内壁部材は、複数の管体からなり、前記複数の管体は軸方向において互いに平行で且つ径方向において連結して配置され、前記連結された複数の管体の少なくとも一部は曲面状に配置されていることを特徴とする。
【００１１】
請求項６に記載の発明は、請求項５に記載の写真スタジオ装置において、前記照明用光源が前記管体内に収納されていることを特徴とする。
【００１２】
請求項７に記載の発明は、請求項５又は６に記載の写真スタジオ装置において、前記管体内の隣接する管体側の位置に、補助光源が収納されていることを特徴とする。
【００１３】
請求項８に記載の発明は、連結部材を介して張設された光透過性の板状の内壁部材により撮影空間が形成され、前記内壁部材の背面側に照明用光源が配置された写真スタジオ装置において、前記連結部材は前記内壁部材の面方向において中心部よりいずれか一端側に偏った位置に配置されていることを特徴とする。
【００１４】
請求項９に記載の発明は、請求項８に記載の写真スタジオ装置において、前記連結部材は、前記内壁部材の上端側に位置して水平方向に配置されていることを特徴とする。
【００１５】
請求項１０に記載の発明は、右側壁、左側壁及び後部壁がコの字状に組み立てられ、前面に入り口が設けられた写真スタジオ装置において、前記右側壁及び左側壁の内面は、連結部材を介して張設された光透過性の板状の内壁部材からなり、前記内壁部材の背面側には照明用光源が配置され、前記連結部材は、前記右側壁及び左側壁の入り口側に位置して鉛直方向に配置されていることを特徴とする。
【発明の効果】
【００１６】
請求項１に記載の発明によれば、内壁部材がそれ自身で自立するので連結部材を必要とせず、内壁部材上での連結部材の影の出現を抑制することができる。
【００１７】
請求項２に記載の発明によれば、請求項１記載の効果に加えて、構造の簡素化を図ることができる。
【００１８】
請求項３に記載の発明によれば、請求項１記載の効果に加えて、板材の組み合わせにより撮影空間の規模の調整が可能となる。
【００１９】
請求項４に記載の発明によれば、柱状連結部材により生じる影を目立たなくすることができる。
【００２０】
請求項５に記載の発明によれば、請求項１記載の効果に加えて、管体の組み合わせにより撮影空間の規模の調整が可能となる。
【００２１】
請求項６に記載の発明によれば、管体と照明用光源のユニット化が可能となり、取り扱いが容易になる。
【００２２】
請求項７に記載の発明によれば、相隣り合う管体同士の境界に補助光を供給するので、均一な照明が可能となる。
【００２３】
請求項８に記載の発明によれば、内壁部材に投影される連結部材の影を内壁部材の端部側に位置させることができ、内壁部材上での連結部材の影の出現を抑制することができる。
【００２４】
請求項９に記載の発明によれば、連結部材を内壁部材の上端側に位置させることで連結部材の影を撮影空間の端に寄せることができ、撮影空間をより広くとることができる。
【００２５】
請求項１０に記載の発明によれば、内壁部材に投影される連結部材の影を入り口側に位置させることができ、内壁部材上での連結部材の影の出現を抑制することができる。また、連結部材を右側壁及び左側壁の入り口側に位置させることで連結部材の影を撮影空間の端に寄せることができ、撮影空間をより広くとることができる。
【発明を実施するための最良の形態】
【００２６】
［第１の実施の形態］
以下、図面を参照して、本発明の第１の実施の形態における写真スタジオ装置を詳細に説明する。
図１は、第１の実施の形態における写真スタジオ装置１を示す斜視図である。
【００２７】
写真スタジオ装置１では、乳幼児を被写体として写真撮影することを前提とし、ストロボを使用せず、蛍光灯を使用して定常光撮影を行う。このように本実施の形態では照明用光源として蛍光灯を用いるが、本発明はこれに限定されず、他の種類の照明用光源を用いることもできる。
【００２８】
図１に示すように、写真スタジオ装置１は、円筒状の曲面を持った概観を有し、その上に拡散部材２，蛍光灯３，及び蛍光灯３を支える支柱４ａ〜４ｄが設けられて構成されている。
【００２９】
拡散部材２は、薄板を網目状に組み合わせた多孔形状にて構成され、蛍光灯３からの光を拡散させる。また、拡散部材２の多孔によって写真スタジオ装置１の内部と外部との換気が可能になっている。この拡散部材２を構成する薄板としては、例えば、乳白色のアクリル板を用いることができる。
【００３０】
拡散部材２の多孔を形成する薄板の幅、すなわち拡散部材２の上下方向における厚さは例えば２５ｍｍである。また、多孔のそれぞれは矩形であり、その大きさは２５ｍｍ×２５ｍｍである。
【００３１】
写真スタジオ装置１では、内部に乳幼児がいる状態で撮影が行われる。写真スタジオ装置１は、前面に入り口を有しており、撮影者はデジタルカメラを用いて被写体の撮影を行う。このとき、撮影者は写真スタジオ装置１の外から撮影してもよいし、写真スタジオ装置１の内部で撮影してもよい。
【００３２】
図２は、図１に示した写真スタジオ装置１の平面図であり、写真スタジオ装置１から拡散部材２，蛍光灯３及び支柱４ａ〜４ｄを除いた図である。
【００３３】
図２に示すように、写真スタジオ装置１は、円筒状の曲面を持った内壁部材５と、内壁部材５の背面側に配置された複数の蛍光灯６と、さらに外側に配置された円筒状の曲面を持った外壁部材７と、を備えて構成されている。
【００３４】
内壁部材５は、乳白色で光透過性を有する一枚の連続した板材で形成され、鉛直方向に自立する。この内壁部材５により撮影空間が形成される。内壁部材５としては、例えば、アクリルやポリカーボネート等を用いることができる。内壁部材５の曲面は、平面状の板を曲げることにより円筒状にしてもよいし、予め円筒状に形成することとしてもよい。また、不図示であるが、紡錘状としてもよい。内壁部材５により蛍光灯６からの光が拡散される。
【００３５】
蛍光灯６は、内壁部材５に沿って複数互いに間隔を置いて配置されている。これにより、均一な照明が可能となる。被写体に前方からの光量を十分に提供するために、入り口付近では、蛍光灯６の間隔を狭くすることが好ましい。
【００３６】
写真スタジオ装置１によれば、内壁部材５がそれ自身で自立するので連結部材を必要とせず、内壁部材５上での連結部材の影の出現を抑制することができる。また、内壁部材５が一枚の連続した板材で形成されているので、構造の簡素化を図ることができる。
【００３７】
［第２の実施の形態］
次に、本発明を適用した第２の実施の形態について説明する。
第１の実施の形態では、内壁部材５が１枚の板材で形成されていたが、第２の実施の形態では、内壁部材が複数の板材を連結して形成されている。
【００３８】
図３は、第２の実施の形態における写真スタジオ装置１０の平面図である。写真スタジオ装置１０は、右側壁１１，左側壁１５，後部壁１９により形成されている。実際は、図１に示した写真スタジオ装置１と同様に、写真スタジオ装置１０の上方にも拡散部材、蛍光灯及び支柱が設けられているが、第１の実施の形態で説明した拡散部材２，蛍光灯３及び支柱４ａ〜４ｄと同様であるため、図示及び説明を省略する。
【００３９】
図３に示すように、写真スタジオ装置１０の右側壁１１は、曲面状の内壁部材１２と、内壁部材１２の背面側に配置された複数の蛍光灯１３と、さらに外側に配置された曲面状の外壁部材１４と、を備えて構成されている。
【００４０】
また、写真スタジオ装置１０の左側壁１５は、曲面状の内壁部材１６と、内壁部材１６の背面側に配置された複数の蛍光灯１７と、さらに外側に配置された曲面状の外壁部材１８と、を備えて構成されている。
【００４１】
また、写真スタジオ装置１０の後部壁１９は、平面状の内壁部材２０と、内壁部材２０の背面側に配置された複数の蛍光灯２１と、さらに外側に配置された外壁部材２２と、を備えて構成されている。
【００４２】
内壁部材１２，１６，２０は、乳白色で光透過性を有する板材であって、これら内壁部材１２，１６，２０により撮影空間が形成される。内壁部材１２，１６，２０としては、例えば、アクリルやポリカーボネート等を用いることができる。内壁部材１２，１６，２０により蛍光灯１３，１７，２１からの光が拡散される。
【００４３】
右側壁１１と後部壁１９、左側壁１５と後部壁１９は、それぞれ柱状連結部材２３，２４を介して連結されている。柱状連結部材２３，２４の撮影空間側に位置する面は、それぞれ乳白色の光透過性材料からなる覆い板２５，２６により覆われている。
【００４４】
内壁部材１２を透過した光と、内壁部材２０を透過した光と、がさらに覆い板２５により散乱されることにより、柱状連結部材２３により生じる影が目立たなくなる。同様に、内壁部材１６を透過した光と、内壁部材２０を透過した光と、がさらに覆い板２６により散乱されることにより、連結部材２４より生じる影が目立たなくなる。
【００４５】
写真スタジオ装置１０によれば、柱状連結部材２３，２４の撮影空間側に位置する面が覆い板２５，２６により覆われているので、柱状連結部材２３，２４により生じる影を目立たなくすることができる。また、板材の組み合わせにより撮影空間の規模の調整が可能となる。さらに、右側壁１１及び左側壁１５が自立可能であるため、従来より連結部材を減らすことができる。
【００４６】
なお、図４に示すように、さらに、内壁部材及び外壁部材を分割することとしてもよい。図４は、第２の実施の形態の変形例の写真スタジオ装置３０の平面図である。写真スタジオ装置３０は、右側壁３１，左側壁３５，後部壁３９，前部右側壁４３，前部左側壁４７により形成されている。実際は、図１に示した写真スタジオ装置１と同様に、写真スタジオ装置３０の上方にも拡散部材、蛍光灯及び支柱が設けられているが、第１の実施の形態で説明した拡散部材２，蛍光灯３及び支柱４ａ〜４ｄと同様であるため、図示及び説明を省略する。
【００４７】
図４に示すように、写真スタジオ装置３０の右側壁３１は、曲面状の内壁部材３２と、内壁部材３２の背面側に配置された複数の蛍光灯３３と、さらに外側に配置された曲面状の外壁部材３４と、を備えて構成されている。
【００４８】
また、写真スタジオ装置３０の左側壁３５は、曲面状の内壁部材３６と、内壁部材３６の背面側に配置された複数の蛍光灯３７と、さらに外側に配置された曲面状の外壁部材３８と、を備えて構成されている。
【００４９】
また、写真スタジオ装置３０の後部壁３９は、曲面状の内壁部材４０と、内壁部材４０の背面側に配置された複数の蛍光灯４１と、さらに外側に配置された曲面状の外壁部材４２と、を備えて構成されている。
【００５０】
また、写真スタジオ装置３０の前部右側壁４３は、内壁部材４４と、内壁部材４４の背面側に配置された複数の蛍光灯４５と、さらに外側に配置された外壁部材４６と、を備えて構成されている。
【００５１】
また、写真スタジオ装置３０の前部左側壁４７は、内壁部材４８と、内壁部材４８の背面側に配置された複数の蛍光灯４９と、さらに外側に配置された外壁部材５０と、を備えて構成されている。
【００５２】
内壁部材３２，３６，４０，４４，４８は、乳白色で光透過性を有する板材であって、これら内壁部材３２，３６，４０，４４，４８により撮影空間が形成される。内壁部材３２，３６，４０，４４，４８により蛍光灯３３，３７，４１，４５，４９からの光が拡散される。
【００５３】
前部右側壁４３と右側壁３１、右側壁３１と後部壁３９、後部壁３９と左側壁３５、左側壁３５と前部左側壁４７は、それぞれ柱状連結部材５１，５２，５３，５４により連結されている。柱状連結部材５１，５２，５３，５４の撮影空間側に位置する面は、それぞれ光透過性材料からなる覆い板５５，５６，５７，５８により覆われている。
【００５４】
内壁部材４４を透過した光と、内壁部材３２を透過した光と、がさらに覆い板５５により散乱されることにより、柱状連結部材５１により生じる影が目立たなくなる。柱状連結部材５２，５３，５４についても同様である。
【００５５】
［第３の実施の形態］
次に、本発明を適用した第３の実施の形態について説明する。
図５は、第３の実施の形態における写真スタジオ装置６０の平面図である。実際は、図１に示した写真スタジオ装置１と同様に、写真スタジオ装置６０の上方にも拡散部材、蛍光灯及び支柱が設けられているが、第１の実施の形態で説明した拡散部材２、蛍光灯３及び支柱４ａ〜４ｄと同様であるため、図示及び説明を省略する。
【００５６】
図５に示すように、写真スタジオ装置６０は、乳白色で光透過性を有する複数の管体６１からなる。複数の管体６１は軸方向において互いに平行で且つ径方向において連結して配置されており、全体として曲面状に形成されている。管体６１としては、例えば、アクリルやポリカーボネート等を用いることができる。
【００５７】
図５及び図６に示すように、各管体６１の内部には、照明用光源として蛍光灯６２が収納されている。また、各管体６１内の隣接する管体側の位置には補助光源として複数のＬＥＤ（Light Emitting Diode）６３が収納されている。ＬＥＤ６３により、相隣り合う管体同士の境界に補助光を供給するので均一な照明が可能となる。
【００５８】
写真スタジオ装置６０によれば、各管体６１が自立可能であるため、連結部材を必要とせず、連結部材の影が出現することがない。また、管体６１の組み合わせにより撮影空間の規模の調整が可能となる。また、管体６１，蛍光灯６２及びＬＥＤ６３のユニット化が可能となり、取り扱いが容易になる。
【００５９】
［第４の実施の形態］
次に、本発明を適用した第４の実施の形態について説明する。
図７は、第４の実施の形態における写真スタジオ装置７０を示す斜視図である。実際は、図１に示した写真スタジオ装置１と同様に、写真スタジオ装置７０の上方にも拡散部材、蛍光灯及び支柱が設けられているが、第１の実施の形態で説明した拡散部材２、蛍光灯３及び支柱４ａ〜４ｄと同様であるため、図示及び説明を省略する。
【００６０】
図７に示すように、写真スタジオ装置７０は、右側壁７１，後部壁７２，左側壁７３がコの字状に組み立てられ、前部壁７４のある前面に入り口が設けられている。写真スタジオ装置７０の各壁により形成された撮影空間では、乳幼児の撮影が行われる。なお、入り口から奥行き方向に１０００ｍｍ以内では撮影は行われないことになっている。
【００６１】
図８は、写真スタジオ装置７０を図７の方向Ａから見た図である。
図８（ａ）に示すように、右側壁７１の内面は、連結部材７５，７６を介して張設された内壁部材７７ａ，７７ｂ，７７ｃ，７７ｄからなる。内壁部材７７ａ，７７ｂ，７７ｃ，７７ｄは、乳白色で光透過性を有する板材であって、例えば、アクリルやポリカーボネート等を用いることができる。
【００６２】
連結部材７５は、右側壁７１の中心部より入り口側の位置に鉛直方向に配置され、連結部材７６は、右側壁７１の中心部より上端側の位置に水平方向に配置されている。例えば、写真スタジオ装置７０の内側の高さが２０００ｍｍ、奥行きが２２００ｍｍの場合、連結部材７５は入り口から８００ｍｍの位置に、また、連結部材７６は下から１５００ｍｍの位置に設けることができる。なお、連結部材７５，７６の位置は、撮影が行われる範囲に基づいて任意に変更可能である。
【００６３】
図８（ｂ）に示すように、内壁部材７７ａ，７７ｂ，７７ｃ，７７ｄの背面側には、複数の蛍光灯７８が設けられている。蛍光灯７８からの光は内壁部材７７ａ，７７ｂ，７７ｃ，７７ｄにより拡散される。
【００６４】
左側壁７３についても右側壁７１と同様の構成であるため、図示及び説明を省略する。
【００６５】
写真スタジオ装置７０によれば、連結部材７５，７６の影を右側壁７１の端部側に位置させることができ、連結部材７５，７６の影の出現を抑制することができる。また、連結部材７５を入り口側に位置させ、連結部材７６を上端側に位置させることにより、連結部材７５，７６の影を撮影空間の端に寄せることができ、撮影空間をより広くとることができる。これにより、撮影者は連結部材７５，７６の影を気にせずに撮影を行うことができる。
【００６６】
なお、上記各実施の形態における記述は、本発明に係る写真スタジオ装置の例であり、これらに限定されるものではない。装置を構成する各部の細部構成に関しても本発明の趣旨を逸脱することのない範囲で適宜変更可能である。
【図面の簡単な説明】
【００６７】
【図１】第１の実施の形態における写真スタジオ装置１を示す斜視図である。
【図２】図１に示した写真スタジオ装置１の平面図である。
【図３】第２の実施の形態における写真スタジオ装置１０の平面図である。
【図４】第２の実施の形態の変形例の写真スタジオ装置３０の平面図である。
【図５】第３の実施の形態における写真スタジオ装置６０の平面図である。
【図６】管体６１の内部構成を説明するための図である。
【図７】第４の実施の形態における写真スタジオ装置７０を示す斜視図である。
【図８】写真スタジオ装置７０を図７の方向Ａから見た図である。
【符号の説明】
【００６８】
１  写真スタジオ装置
２  拡散部材
３  蛍光灯
４ａ〜４ｄ  支柱
５  内壁部材
６  蛍光灯
７  外壁部材
１０  写真スタジオ装置
１１  右側壁
１２，１６，２０  内壁部材
１３，１７，２１  蛍光灯
１４，１８，２２  外壁部材
１５  左側壁
１９  後部壁
２３，２４  柱状連結部材
２５，２６  覆い板
３０  写真スタジオ装置
３１  右側壁
３２，３６，４０，４４，４８  内壁部材
３３，３７，４１，４５，４９  蛍光灯
３４，３８，４２，４６，５０  外壁部材
３５  左側壁
３９  後部壁
４３  前部右側壁
４７  前部左側壁
５１，５２，５３，５４  柱状連結部材
５５，５６，５７，５８  覆い板
６０  写真スタジオ装置
６１  管体
６２  蛍光灯
６３  ＬＥＤ
７０  写真スタジオ装置
７１  右側壁
７２  後部壁
７３  左側壁
７４  前部壁
７５，７６  連結部材
７７ａ，７７ｂ，７７ｃ，７７ｄ  内壁部材
７８  蛍光灯
【図１】
2006323168.tif 000003
【図２】
2006323168.tif 000004
【図３】
2006323168.tif 000005
【図４】
2006323168.tif 000006
【図５】
2006323168.tif 000007
【図６】
2006323168.tif 000008
【図７】
2006323168.tif 000009
【図８】
2006323168.tif 000010